【手続補正書】
【提出日】平成30年6月11日(2018.6.11)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１の無線アクセス技術（ＲＡＴ）を使う第１の送信に、第２のＲＡＴを使うためのチャネル占有識別子を挿入することと、前記第１のＲＡＴは、前記第２のＲＡＴとは異なり、前記第１のＲＡＴおよび前記第２のＲＡＴは、無認可無線周波数スペクトル帯域へのアクセスを求めて競合する、
前記無認可無線周波数スペクトル帯域を介して、前記チャネル占有識別子を有する前記第１の送信を送信することと
を備え、
ここにおいて、前記チャネル占有識別子は、前記無認可無線周波数スペクトル帯域が予約されている持続時間を識別し、
ここにおいて、前記持続時間は、いくつかの直交周波数分割多重化（ＯＦＤＭ）シンボル周期を備える、
方法。
【請求項２】
前記チャネル占有識別子は、Ｗｉ−Ｆｉ（登録商標）プリアンブルの少なくとも一部分を備え、
ここにおいて、前記Ｗｉ−Ｆｉプリアンブルの前記部分は特に、少なくとも第１のシンボルと第２のシンボルとを備え、前記方法は特に、
前記第１のシンボルの第１のコンスタレーションに対して前記第２のシンボルの第２のコンスタレーションを回転させることによって、前記Ｗｉ−Ｆｉプリアンブルをフォーマットすること
をさらに備える、請求項１に記載の方法。
【請求項３】
前記無認可無線周波数スペクトル帯域へのアクセスを求めて競合するためにリッスンビフォアトーク（ＬＢＴ）手順を実施することと、
前記無認可無線周波数スペクトル帯域にアクセスするための競合に勝ったことに少なくとも部分的に基づいて、前記チャネル占有識別子を有する前記第１の送信を送信することと
をさらに備え、
前記方法は特に、
再同期境界を過ぎたかどうか決定することと、
前記再同期境界を過ぎていないと決定したことに少なくとも部分的に基づいて、前記チャネル占有識別子を有する前記第１の送信を送信することと
をさらに備える、請求項１に記載の方法。
【請求項４】
チャネル使用ビーコンシンボル（ＣＵＢＳ）の少なくとも一部分として、前記チャネル占有識別子を送信することをさらに備える、請求項１に記載の方法、または
前記無認可無線周波数スペクトル帯域を介した、前記チャネル占有識別子の送信時間を時間ディザリングすることをさらに備える、請求項１に記載の方法、
前記方法は特に、
セル識別子に少なくとも部分的に基づいて、またはパブリックモバイルランドネットワーク（ＰＬＭＮ）識別子に少なくとも部分的に基づいて、前記送信時間を選択すること
をさらに備える、請求項１に記載の方法。
【請求項５】
前記第１の送信に前記チャネル占有識別子を挿入することは、
前記第１の送信のデータサブフレームに前記チャネル占有識別子を挿入すること、または
少なくとも前記チャネル占有識別子の第１のインスタンスと、前記チャネル占有識別子の第２のインスタンスとを前記第１の送信に挿入すること
を備える、請求項１に記載の方法。
【請求項６】
前記送信することは第１の送信装置によって実施され、前記チャネル占有識別子の第１の部分は、第２の送信装置によって送信された第２のチャネル占有識別子の重複送信の第１の部分に共通であり、前記チャネル占有識別子の第２の部分は、前記第２の送信装置によって送信された前記第２のチャネル占有識別子の第２の部分とは異なる、請求項１に記載の方法。
【請求項７】
ワイヤレス通信のための装置であって、
第１の無線アクセス技術（ＲＡＴ）を使う第１の送信に、第２のＲＡＴを使うためのチャネル占有識別子を挿入するための手段と、前記第１のＲＡＴは、前記第２のＲＡＴとは異なり、前記第１のＲＡＴおよび前記第２のＲＡＴは、無認可無線周波数スペクトル帯域へのアクセスを求めて競合する、
前記無認可無線周波数スペクトル帯域を介して、前記チャネル占有識別子を有する前記第１の送信を送信するための手段と
を備え、
ここにおいて、前記チャネル占有識別子は、前記無認可無線周波数スペクトル帯域が予約されている持続時間を識別し、
ここにおいて、前記持続時間は、いくつかの直交周波数分割多重化（ＯＦＤＭ）シンボル周期を備える、
装置。
【請求項８】
前記チャネル占有識別子は、Ｗｉ−Ｆｉプリアンブルの少なくとも一部分を備える、請求項７に記載の装置。
【請求項９】
ワイヤレス通信のための方法であって、
第１の無線アクセス技術（ＲＡＴ）を使う受信機において、第２のＲＡＴを使うためのチャネル占有識別子を受信することと、前記チャネル占有識別子は、無認可無線周波数スペクトル帯域を介して受信され、前記第１のＲＡＴは、前記第２のＲＡＴとは異なり、前記第１のＲＡＴおよび前記第２のＲＡＴは、前記無認可無線周波数スペクトル帯域へのアクセスを求めて競合する、
バックオフ期間を識別するために、前記チャネル占有識別子を復号することと、ここにおいて、前記バックオフ期間は、いくつかの直交周波数分割多重化（ＯＦＤＭ）シンボル周期を備える、
前記バックオフ期間に少なくとも部分的に基づいて、前記第１のＲＡＴを使って前記無認可無線周波数スペクトル帯域にアクセスするのを控えることと
を備える方法。
【請求項１０】
前記チャネル占有識別子は、Ｗｉ−Ｆｉプリアンブルの少なくとも一部分を備える、または、
前記方法は、
前記無認可無線周波数スペクトル帯域のエネルギーレベルを検出すること
をさらに備え、
前記方法は特に、
前記エネルギーレベルに少なくとも部分的に基づいて、前記第１のＲＡＴを使って前記無認可無線周波数スペクトル帯域にアクセスするのを控えること、または
前記エネルギーレベルが閾を満足できないとき、前記第１のＲＡＴを使って前記無認可無線周波数スペクトル帯域にアクセスするのを控えること
をさらに備える、
請求項９に記載の方法。
【請求項１１】
前記チャネル占有識別子が、前記第１のＲＡＴを使う第１の送信機、それとも前記第２のＲＡＴを使う第２の送信機から受信されたのか決定するために、前記チャネル占有識別子を復号することをさらに備える、請求項９に記載の方法。
【請求項１２】
前記第１のＲＡＴを使う前記受信機は、ユーザ機器（ＵＥ）のセルラー受信機または基地局のセルラー受信機を備える、請求項９に記載の方法。
【請求項１３】
ワイヤレス通信のための装置であって、
第１の無線アクセス技術（ＲＡＴ）を使う受信機において、第２のＲＡＴを使うためのチャネル占有識別子を受信するための手段と、前記チャネル占有識別子は、無認可無線周波数スペクトル帯域を介して受信され、前記第１のＲＡＴは、前記第２のＲＡＴとは異なり、前記第１のＲＡＴおよび前記第２のＲＡＴは、前記無認可無線周波数スペクトル帯域へのアクセスを求めて競合する、
バックオフ期間を識別するために、前記チャネル占有識別子を復号するための手段と、ここにおいて、前記バックオフ期間は、いくつかの直交周波数分割多重化（ＯＦＤＭ）シンボル周期を備える、
前記バックオフ期間に少なくとも部分的に基づいて、前記第１のＲＡＴを使って前記無認可無線周波数スペクトル帯域にアクセスするのを控えるための手段と
を備える装置。
【請求項１４】
前記チャネル占有識別子は、Ｗｉ−Ｆｉプリアンブルの少なくとも一部分を備える、または、
前記装置は、
前記無認可無線周波数スペクトル帯域のエネルギーレベルを検出するための手段
をさらに備え、
前記装置は特に、
前記エネルギーレベルに少なくとも部分的に基づいて、前記第１のＲＡＴを使って前記無認可無線周波数スペクトル帯域にアクセスするのを控えるための手段
をさらに備える、
請求項１３に記載の装置。
【請求項１５】
請求項１ないし６または９ないし１２のいずれか一項に記載の方法を実行するための命令を備えたコンピュータプログラム。